(57)【要約】      （修正有）【課題】新規や既設の屋根構造の改修にも利用でき、外装面（屋根面）の任意の位置に化粧材や雪止め、避雷針、太陽電池パネル等の外設部材を取り付けることができる外設部材を備える屋根構造の提供。【解決手段】下部保持部材２は、流れ方向に所定間隔を隔てて取り付けられ、上部保持部材３は、少なくとも流れ方向に隣り合う下部保持部材２に跨るように取り付けられ、縦葺き屋根板１は、面板部１１の左右の端縁に、下り段状に成形されると共にその先端が上方へ屈曲された側縁部１３が形成され、左右に隣り合う縦葺き屋根板の側縁部間にカバー材４が配されて接続され、屋根下地５上に固定された下部保持部材の左右に、縦葺き屋根板を配設すると共に、流れ方向に隣り合う下部保持部材に上部保持部材を跨るように連結し、カバー材４にて縦葺き屋根板の左右の側縁部を上下から挟着して保持し、縦葺き屋根板上に外設部材６Ａを配すると共に上部保持部材に固定する。【選択図】図１
2020143550.tif 000002
【特許請求の範囲】
【請求項１】
傾斜勾配を有する屋根下地に、上部保持部材と下部保持部材で縦葺き屋根板を敷設した上に外設部材を固定してなる外設部材を備える屋根構造であって、
前記下部保持部材は、流れ方向に所定間隔を隔てて取り付けられ、前記上部保持部材は、少なくとも流れ方向に隣り合う前記下部保持部材に跨るように取り付けられ、
前記縦葺き屋根板は、面板部の左右の端縁に、下り段状に成形されると共にその先端が上方へ屈曲された側縁部が形成され、左右に隣り合う縦葺き屋根板の側縁部間にカバー材が配されて接続され、
屋根下地上に固定された前記下部保持部材の左右に、前記縦葺き屋根板を配設すると共に、流れ方向に隣り合う前記下部保持部材に前記上部保持部材を跨るように連結し、前記カバー材にて前記縦葺き屋根板の左右の側縁部を上下から挟着して保持し、この縦葺き屋根板上に外設部材を配すると共に前記上部保持部材に固定していることを特徴とする外設部材を備える屋根構造。
【請求項２】
少なくとも下部保持部材の裏面側に流れ方向に連続する排水部材が配されていることを特徴とする請求項１に記載の外設部材を備える屋根構造。
【発明の詳細な説明】
【技術分野】
【０００１】
本発明は、新規の屋根構造の構築や既設の屋根構造の改修にも利用でき、外装面（屋根面）の任意の位置に化粧材や雪止め、避雷針、太陽電池パネル等の外設部材を取り付けることができる外設部材を備える屋根構造に関する。
【背景技術】
【０００２】
従来、左右側縁部を裏面側へ折り曲げ加工した屋根板を用いて施工した平坦状の屋根構造の上に雪止杆を取り付ける構造として、特許文献１のような構造が提案されている。
当該特許文献１に提案された構造は、固定部材７の内部に締付用螺子部材11を備える外れ止部材10を配すると共に左右に屋根材（フラット状建築用板Ａ）を配し、外れ止部材10の押圧支持部10bの上端をガッター５の水平部5bに係止させた状態でキャップ材Ｃを取り付け、該キャップ材Ｃ上に雪止杆13を固着したものである。
【先行技術文献】
【特許文献】
【０００３】
【特許文献１】特許３３２７７４１号公報
【発明の概要】
【発明が解決しようとする課題】
【０００４】
しかしながら、前記特許文献１に提案される屋根構造では、外れ止部材10をガッター５内に位置させているため、キャップ材Ｃの取り付け前に配置する必要があり、施工に制限を受ける。また、外れ止部材10の押圧支持部10bの上端をガッター５の水平部5bに係止させるが、固定部材７が存在しない箇所では強度が不足するため、実際のところ、外れ止部材10の押圧支持部10bの上端を固定部材７の押さえ部7bに係止させて強度不足を補っているが、そのため取付箇所も制限を受ける。さらに、この構造では、締付用螺子部材11がキャップ材Ｃを貫通するため、予めキャップ材Ｃに「孔」を設ける必要があるため、取付箇所を任意にすることは困難である。
そこで、本発明は、新規の屋根構造の構築や既設の屋根構造の改修にも利用でき、外装面（屋根面）の任意の位置に化粧材や雪止め、避雷針、太陽電池パネル等の外設部材を取り付けることができる外設部材を備える屋根構造を提案することを目的とする。
【課題を解決するための手段】
【０００５】
本発明は、上記に鑑み提案されたもので、傾斜勾配を有する屋根下地に、上部保持部材と下部保持部材で縦葺き屋根板を敷設した上に外設部材を固定してなる外設部材を備える屋根構造であって、前記下部保持部材は、流れ方向に所定間隔を隔てて取り付けられ、前記上部保持部材は、少なくとも流れ方向に隣り合う前記下部保持部材に跨るように取り付けられ、前記縦葺き屋根板は、面板部の左右の端縁に、下り段状に成形されると共にその先端が上方へ屈曲された側縁部が形成され、左右に隣り合う縦葺き屋根板の側縁部間にカバー材が配されて接続され、屋根下地上に固定された前記下部保持部材の左右に、前記縦葺き屋根板を配設すると共に、流れ方向に隣り合う前記下部保持部材に前記上部保持部材を跨るように連結し、前記カバー材にて前記縦葺き屋根板の左右の側縁部を上下から挟着して保持し、この縦葺き屋根板上に外設部材を配すると共に前記上部保持部材に固定していることを特徴とする外設部材を備える屋根構造に関するものである。
【０００６】
また、本発明は、前記屋根構造において、少なくとも下部保持部材の裏面側に流れ方向に連続する排水部材が配されていることを特徴とする外設部材を備える屋根構造をも提案する。
【発明の効果】
【０００７】
本発明の外設部材を備える屋根構造は、例えば化粧材や雪止め、避雷針、太陽電池パネル等の外設部材の取付位置を下部保持部材の配置位置に限定されることなく、外装面（屋根面）の任意の位置に外設部材を取り付けることができるので、新規の屋根構造の構築や既設の屋根構造の改修にも利用できる。
【０００８】
また、少なくとも下部保持部材の裏面側に流れ方向に連続する排水部材が配されている場合、仮に側縁部の裏面側に雨水等が廻り込んだとしても排水部材にて確実に傾斜勾配に沿って流下（排水）させることができる。さらに、上部保持部材に外設部材を固定するための固定具を打ち込むので、その固定具と共に雨水が裏面側に浸入したとしても、排水部材にて確実に傾斜勾配に沿って流下（排水）させることができる。
【図面の簡単な説明】
【０００９】
【図１】（ａ）本発明の第１実施例において外設部材を配設する以前の屋根構造を示す桁行き方向における断面図、（ｂ）縦桟状材である外設部材を配設した後の屋根構造を示す桁行き方向における断面図、（ｃ）その流れ方向における側断面図である。
【図２】（ａ）第１実施例に用いた下部保持部材と上部保持部材とを拡大して示す斜視図、（ｂ）その取付（連結）状態を示す斜視図である。
【図３】（ａ）本発明の第２実施例において外設部材を配設する以前の屋根構造を示す桁行き方向における断面図、（ｂ）太陽電池パネルである外設部材を配設した後の屋根構造を示す桁行き方向における断面図、（ｃ）その流れ方向における側断面図である。
【図４】（ａ）本発明の第３実施例において外設部材を配設する以前の屋根構造を示す桁行き方向における断面図、（ｂ）雪止め金具である外設部材を配設した後の屋根構造を示す桁行き方向における断面図、（ｃ）その流れ方向における側断面図である。
【発明を実施するための形態】
【００１０】
本発明の屋根構造は、傾斜勾配を有する屋根下地に、上部保持部材と下部保持部材で縦葺き屋根板を敷設した上に外設部材を固定してなるものである。
前記下部保持部材は、流れ方向に所定間隔を隔てて取り付けられる部材である。
前記上部保持部材は、少なくとも流れ方向に隣り合う前記下部保持部材に跨るように取り付けられる部材である。
前記縦葺き屋根板は、面板部の左右の端縁に、下り段状に成形されると共にその先端が上方へ屈曲された側縁部が形成され、左右に隣り合う縦葺き屋根板の側縁部間にカバー材が配されて接続される部材である。
そして、屋根下地上に固定された前記下部保持部材の左右に、前記縦葺き屋根板を配設すると共に、流れ方向に隣り合う前記下部保持部材に前記上部保持部材を跨るように連結し、前記カバー材にて前記縦葺き屋根板の左右の側縁部を上下から挟着して保持し、この縦葺き屋根板上に外設部材を配すると共に前記上部保持部材に固定していることを特徴とする。
【００１１】
前記屋根構造を構成する下部保持部材、上部保持部材、縦葺き外装材、カバー材、外設部材を、以下にそれぞれ詳細に説明する。
【００１２】
前記下部保持部材は、前述のように屋根下地に所定間隔を隔てて取り付けられる短尺（定尺）材であって、上部保持部材と連結する連結受部と、を備える。
前記屋根下地へ取り付けられる部位は、後述する図示実施例のように固着具を打ち込む固着部でもよいし、この下部保持部材の大きさ（横幅）に応じて左右にそれぞれ設けてもよいし、略中央に一箇所に設けてもよい。
前記連結受部は、上部保持部材に設けられる連結部に係合等により連結されるものであれば、特に限定するものではなく、一箇所のみに限定されず、左右にそれぞれ設けてもよい。
【００１３】
この下部保持部材には、後述する図示実施例のように縦葺き屋根板の側縁部が保持される保持部を設けることが望ましい。
この保持部は、縦葺き屋根板の側縁部を下方から保持するものであれば、特に限定するものではない。この保持部についても、一箇所のみに限定されず、左右に隣り合う縦葺き屋根板の側縁部がそれぞれ保持される保持部を左右に設けてもよい。
なお、この「保持」の具体的態様としては、後述する図示実施例のように弾性的に嵌合させて保持する構成が望ましい。
【００１４】
この下部保持部材において、前述のように連結受部と保持部を設ける態様では、後述する図示実施例のようにそれぞれ上方が開放する溝状（凹状部）に形成してもよく、その場合には、手順を考慮し、外側から保持部用の凹状部、その内側に連結受部用の凹状部を形成する構成となる。
【００１５】
前記上部保持部材は、前述のように少なくとも流れ方向に隣り合う前記下部保持部材に跨るように取り付けられる通し材であって、前記下部保持部材の連結受部に連結される連結部と、外設部材を固定する被固定部と、を備え、連絡受部用の凹状部に対応する形状であれば、単一部材からなるのもので、複数部材からなるものでもよい。
前記連結部は、前記下部保持部材に設けられる連結受部に係合等により連結されるものであれば、特にその形状等を限定するものではなく、上方から押圧するだけで前記下部保持部材の連結受部に弾性的に嵌合する構成が望ましい。
前記被固定部は、外設部材を固定する固定ボルト等の固定具を打ち込む部位であり、一箇所のみに形成してもよいし、左右にそれぞれ形成してもよい。
【００１６】
前記縦葺き屋根板は、面板部の左右の端縁に、裏面側への下り段状に成形されると共にその先端が上方へ屈曲された側縁部が形成される長尺材又は定尺材であって、言い換えれば下り段状部と水返し片状の側縁部とを備える。
前記面板部は平坦状でも波状でも特に限定するものではないが、前述のようにこの縦葺き屋根板上に外設部材を固定するので、専ら後述する図示実施例のように平坦状とすることが望ましい。
なお、この縦葺き屋根板は、公知の金属素材等より成形され、ロール成形やプレス成型、或いは両者の組合せにより成形（成型）されるものであり、その素材厚は特に限定するものではないが、概ね０．４乃至１．６ｍｍ程度である。
【００１７】
前記縦葺き屋根板の側縁部は、前記下部保持部材の保持部にて保持される部分である。
この側縁部は、前述のように保持部に係合される被保持部を備え、先端が上方へ屈曲されて水返し片状に形成されるため、その裏面側への雨水等の浸入が防止される。
【００１８】
前記カバー材は、左右に隣り合う前記縦葺き屋根板間に配設される長尺材又は定尺材であって、平板部の左右に、その先端が上方へ屈曲された取付部を備える。
前記平板部は、前記縦葺き屋根板の面板部と同様に平坦状でも波状でも特に限定するものではないが、前記縦葺き屋根板の面板部と同様にその表面側に外設部材を固定することを想定すると、専ら後述する図示実施例のように平坦状とすることが望ましい。
前記取付部は、前記下部保持部材の保持部にて保持された前記縦葺き屋根板の側縁部の上方から配設されるものであって、後述する図示実施例のようにその先端が上方へ跳ね上げ状に形成することで、前記側縁部の被保持部の外側へ係合される構成となる。
【００１９】
前記外設部材は、前記上部保持部材に固定される部材であって、具体的には桟状材や雪止め、或いは太陽電池パネル等であり、特にその固定手段等については限定するものではなく、公知のどのような方法（構造）にて取り付けられるものでもよい。
【００２０】
さらに、この屋根構造においては、少なくとも前記下部保持部材（の連結受部及び保持部）の裏面側に流れ方向に連続する排水部材が配されていることが望ましい。
この場合、仮に側縁部の裏面側に雨水等が廻り込んだとしても排水部材にて確実に傾斜勾配に沿って流下（排水）させることができる。また、上部保持部材に外設部材を固定するための固定具を打ち込むので、その固定具と共に雨水が裏面側に浸入したとしても、排水部材にて確実に傾斜勾配に沿って流下（排水）させることができる。
【００２１】
これらの各部材を備える本発明の屋根構造は、屋根面の形成施工と外設部材の取付施工とを同時に且つ取付部位を集中させること無く容易に行うことができるので、特に大面積の屋根面の構築や改修に際しても施工時間が短縮化でき、新規の屋根構造の構築や既設の屋根構造の改修にも好適に利用できる。そのため、外設部材として、巨大な桟状材、或いは太陽電池パネル等にも好適に用いられる。
また、少なくとも下部保持部材の裏面側に流れ方向に連続する排水部材が配されている場合、仮に側縁部の裏面側に雨水等が廻り込んだとしても排水部材にて確実に傾斜勾配に沿って流下（排水）させることができる。さらに、上部保持部材に外設部材を固定するための固定具を打ち込むので、その固定具と共に雨水が裏面側に浸入したとしても、排水部材にて確実に傾斜勾配に沿って流下（排水）させることができる。
【実施例１】
【００２２】
図１（ｂ）に示す本発明の第１実施例の外設部材６Ａを備える屋根構造は、傾斜勾配を有する屋根下地に、上部保持部材３と下部保持部材２で縦葺き屋根板１を敷設した上に桟状材である外設部材６Ａを固定してなる構造である。
前記下部保持部材２は、流れ方向に所定間隔を隔てて取り付けられる部材である。
前記上部保持部材３は、少なくとも流れ方向に隣り合う前記下部保持部材２，２に跨るように取り付けられ部材である。
前記縦葺き屋根板１は、面板部１１の左右の端縁に、下り段状に成形される下り段状部１２、Ｖ字状に窪む部分及び縦片の途中がく字状に形成された被保持部を備えると共にその上端が上方へ延在する側縁部１３が形成され、左右に隣り合う縦葺き屋根板１，１の下り段状部１２，１２間にカバー材４が配されて接続される部材である。
そして、屋根下地５上に固定された前記下部保持部材２の左右に、前記縦葺き屋根板１を配設すると共に、流れ方向に隣り合う前記下部保持部材２，２に前記上部保持部材３を跨るように連結し、前記カバー材４にて前記縦葺き屋根板１，１の左右の側縁部１３，１３間を覆うことで雨水の浸入を防ぎ、これらのカバー材４や縦葺き屋根板１上に外設部材（桟状材）６Ａを配すると共に前記上部保持部材３に固定している。
【００２３】
前記下部保持部材２は、前述のように屋根下地５に所定間隔を隔てて取り付けられる短尺（定尺）材であって、上部保持部材３と連結する連結凹部２４と、を備える。
この第１実施例における下部保持部材２は、図２（ａ）に示すように左右対称状の広幅の短尺材であり、略水平状の平板部２１の左右に、段差状の支持固定部２５を介してそれぞれ上方が開放する凹状の保持凹部２３及び連結凹部２４を備え、左右の最外側に屋根下地５へ取り付けられる固着部２２，２２が設けられている。なお、各固着部２２の表面の略中央には、溝部２２１が形成されている。
前記連結凹部２４及び前記保持部２３は、その上端に内側へ突出する係止凸部２４１，２３１が形成されている。
【００２４】
なお、保持凹部２３は、縦葺き屋根板１の側縁部１３を保持する、即ち側縁部１３のく字状の被保持部を弾性的に係合させるものであるから、凹状を形成する対向状の縦面の一方の上端のみに係止凸部２３１が設けられている。この保持凹部２３の外側面の上端に形成される弧状面２３２は、縦葺き屋根板１の面板部１１の端縁に設けられる下り段状部１２やカバー材４の側端、及びその間に設けられる止水材４ｃを受支する部位である。
それに対し、連結凹部２４は、上方保持部材３に設けられた二枚の垂下片である連結部３３を係合させるものであるから、該垂下片（３３）の上方に設けられた係止受部３３１，３３１と係合する係止凸部２４１，２４１が凹状を形成する対向状の両縦面に設けられている。
前記下部保持部材２を固定する屋根下地５は、母屋などの躯体７の上に木毛セメント板などからなる野地板を敷設した構成である。
【００２５】
前記上部保持部材３は、流れ方向に隣り合う前記下部保持部材２，２に跨るように取り付けられる通し材であって、前記下部保持部材２の連結凹部２４に連結される連結部３３と、外設部材６を固定する被固定部３１と、を備える。
この第１実施例における上部保持部材３は、図２（ａ）に示すように左右対称状の狭幅の長尺材であり、二枚の対向状の垂下片である連結部３３には、前記下部保持部材２に設けられる連結凹部２４に係合により連結される係止受部３３１，３３１が形成され、上方から押圧するだけで前記下部保持部材２に弾性的に嵌合することができる。
前記被固定部３１は、連結凹部２４を覆う厚肉状の横面状であって、その裏面側から前記連結部３３が垂下状に設けられ、この被固定部３１のそれぞれの外側には、略水平状に連結固定部３２が延設されている。なお、この連結固定部３２には、前記固着部２２と同様に溝部３２１が形成されている。
【００２６】
前記縦葺き屋根板１は、この図示実施例では略水平状の平坦部分である面板部１１の左右の端縁に、下り段状部１２と、Ｖ字状に窪む部分及び縦片の途中がく字状に形成された被保持部を備えると共にその上端が上方へ延在する側縁部１３とを備える長さ方向に連続する通し材であり、ロール成形やプレス成型、或いは両者の組合せにより成形（成型）され、その素材厚は概ね０．４乃至１．６ｍｍ程度に成型した。なお、１ｂは面板部１１の裏面に添設された裏貼り材であり、１Ｃは更に裏面側に配設された断熱材である。
【００２７】
また、左右に隣り合う前記縦葺き屋根板１，１間には、カバー材４が配設されて接続している。
このカバー材４は、前記縦葺き屋根板１と同様に通し材であり、その材質や成形法等も同様に行うことができ、左右に隣り合う縦葺き屋根板１，１の側縁部１３，１３間を覆う略平坦状の被覆部４１の左右の端縁を裏面側へ折り返し、更に下方へ折り下げると共に、その下端をそれぞれ外側へ跳ね上げ状に折り曲げた係合部４２，４２を形成した構成である。なお、このカバー材４の被覆部４１の左右の端縁の裏面側には、両面粘着フォーム等である弾性を有する止水材４ｃが配され、段差１２との隙間からの雨水の浸入を防止している。
【００２８】
この第１実施例には、左右に隣り合う縦葺き屋根板１，１間に排水部材８を配設する構成を採用している。
この第１実施例における排水部材８は、底面部８１の左右端を上方へ立ち上げて側面部８２，８２としており、前記底面部８１上に前記下地保持部材２の左右の連結凹部２４，２４の底面を沿わせている構成である。
【００２９】
また、前記外設部材６Ａは、前記上部保持部材２に固定される桟状材である。
この第１実施例における外設部材６Ａは、図１（ｂ）に示すように隣り合う前記上部保持部材３，３の被固定部３１，３１に、それぞれ固定具９ｂにてＬ字状のアングル材９ｃを固定し、これら左右のアングル材９ｃ，９ｃの上端に、枠環状の取付補助材９Ａが配され、該取付補助材９Ａの外側に桟状材である外設部材６Ａが取り付けられている。なお、この取付補助材９Ａは、図１（ｃ）に示すように流れ方向に短幅のピース材であり、流れ方向に所定間隔で配され、流れ方向に連続する通し材である外設部材９Ａを内面側から支持している。
【００３０】
これらの各部材からなる第１実施例の屋根構造を施工するには、以下の手順で行うことが望ましい。
まず、Ｃ型鋼などから構成される躯体（母屋）７の上に木毛セメント等の野地材を敷設した屋根下地５の上に、適宜間隔で前記排水部材８を配し、該排水部材８の左右の側面を跨ぐように前記下部保持部材２を配設し、その固着部２２の溝部２２１に固定ボルト２ｂにて屋根下地５及び躯体７に固定する。この工程にて、下部保持部材２の保持凹部２３及び連結凹部２４の裏面側に排水部材８が配された状態となる。
【００３１】
次に、左右の下部保持部材２，２間に縦葺き屋根板１及び断熱材１Ｃを配し、その保持凹部２３に側縁部１３を弾性的に係合させる状態で敷設する。具体的には縦葺き屋根板１を配設し、側縁部１３，１３をそれぞれ上方から押圧するだけで、保持凹部２３，２３に弾性的に係合して取り付けられる。
【００３２】
続いて、前記下部保持部材２の左右の連結凹部２４，２４に、それぞれ前記上部保持部材３の連結部３３を弾性係合させて取り付ける。具体的には前記縦葺き屋根板１の配設と同様に、上部保持部材３をそれぞれ上方から押圧するだけで、連結凹部２４，２４に弾性的に係合して取り付けられる。その後、連結固定部３２の溝部３２１に、上方からビス３ｂを打ち込んで下部保持部材２の流れ方向のズレ止め（流れ止め）を行う。
【００３３】
その後、左右の前記縦葺き屋根板１，１間に前記カバー材４を配し、その被覆部４１が前記下地保持部材２の平板部２１に沿い、その左右の係合部４２，４２が側縁部１３，１３に弾性的に係合するように取り付ける。具体的には前記縦葺き屋根板１や前記上部保持部材３の配設と同様に、カバー材４を上方から押圧するだけで、保持凹部２３に取り付けた側縁部１３の外側に係合部４２が弾性的に係合して取り付けられる。その際、カバー材４の被覆部４１の端縁の裏面側には、止水材４ｃを介在させて前記縦葺き屋根板１の下り段状部１２に沿わせる。
最後に外設部材６Ａとして、桟状材を配設する。
【００３４】
そして、前記各部材から構成される第１実施例の屋根構造は、屋根面の形成施工（＝縦葺き屋根板１及びカバー材４の取付）と外設部材６Ａの取付施工（＝その取付面となる上部支持部材３の取付）とを同時に且つ取付部位を集中させること無く容易に行うことができるので、特に大面積の屋根面の構築や改修に際しても施工時間が短縮化でき、新規の屋根構造の構築や既設の屋根構造の改修にも好適に利用できる。
【００３５】
特に上部保持部材３と下部保持部材２との連結は、連結凹部２４と連結部３３との弾性的係合に加え、連結固定部３２を支持固定部２５に沿わせてビス３ｂにて固定しているため、下部保持部材２も流れ方向にズレ動くことがない。
【００３６】
また、この第１実施例では、上部保持部材３の裏面側に流れ方向に連続する排水部材８が配されているので、仮に側縁部１３の裏面側に雨水等が廻り込んだとしてもこの排水部材８にて確実に傾斜勾配に沿って流下（排水）させることができる。さらに、上部保持部材２に外設部材６Ａを固定するための固定具９ｂを打ち込むので、その固定具９ｂと共に雨水が裏面側に浸入したとしても、排水部材８にて確実に傾斜勾配に沿って流下（排水）させることができる。
【００３７】
さらに、この第１実施例では、下部保持部材２の平板部２１の上面と取り付けた状態の上部保持部材３の被固定部３１の上面とが、水平状の略同一面となるように形成されているため、その表面側へ配設する縦葺き屋根板１の面板部１１とカバー材４の被覆部４１も、水平状の略同一面とすることができ、その更に表面側へ配する外設部材６Ａに限らず各種の外設部材に対し、その取付に際して支障を生ずることが無い平坦状の水平状外装面を施工できる。
【００３８】
図３（ｂ）に示す第２実施例の屋根構造は、外設部材６Ｂとして、平面視矩形状の太陽電池パネルを用いた以外は、前記第１実施例と全く同様であるから、図面に同一符号を付して説明を省略する。
この第２実施例における外設部材６Ｂである太陽電池パネルは、流れ方向より桁行方向が長い横長であって、図３（ｃ）に示すように流れ方向に隣り合う太陽電池パネル６Ｂ，６Ｂを押さえ材９Ｄにて固定されている。この押さえ材９Ｄは、逆ハット形状の部材であって、流れ方向に隣り合う太陽電池パネル６Ｂ，６Ｂ間に配され、前記上部保持部材３の被固定部３１に固定具９ｂにて固定されることで、太陽電池パネル６Ｂの水上端及び水下端を表面側から押さえ保持することができる。
【００３９】
図４（ａ）に示す第３実施例の屋根構造は、外設部材６Ｃとして、Ｌ字状アングル材である雪止め金具を用いた以外は、前記第１実施例と全く同様であるから、図面に同一符号を付して説明を省略する。
この第３実施例における外設部材６Ｃである雪止め金具は、図３（ｃ）に示すように桁行方向に連続するアングル材であって、雪止め面である縦面が流れ方向の水上側へ正対するように固定されている。即ちこの雪止め金具６Ｃの横面を、前記上部保持部材３の被固定部３１に固定具９ｂにて固定されることで、雪止め金具６Ｃを流れ方向の水上側へ正対するように固定することができる。
【符号の説明】
【００４０】
１  縦葺き屋根板
１１  面板部
１２  下り段状部
１３  側縁部
２  下部保持部材
２１  平板部
２２  固着部
２３  保持凹部
２４  連結凹部
２５  支持固定部
３  上部保持部材
３ｂ  ビス
３１  被固定部
３２  連結固定部
３３  連結部
４  カバー材
４１  被覆部
４２  係合部
４ｃ  止水材
５  屋根下地
６Ａ  外設部材（桟状材）
６Ｂ  外設部材（太陽電池パネル）
６Ｃ  外設部材（雪止め金具）
７  躯体
８  排水部材
９Ａ  取付補助材
９ｂ  固定具
９ｃ  アングル材
９Ｄ  押さえ材
【図１】
2020143550.tif 000003
【図２】
2020143550.tif 000004
【図３】
2020143550.tif 000005
【図４】
2020143550.tif 000006